(57)【要約】      （修正有）【課題】工場での既存の縫製仕様を変更せずに、タグの形状や糸を縫い込む場所を工夫することで、できる限り低コストで、しかもだれでも簡単にかつスムーズに取り外すことのできる縫込みタグを提供する。【解決手段】本体部１０２と頭部２０１と本体部１０２と頭部２０１の間に位置するくびれ部２０２を有する縫い込みタグであって、頭部２０１は横長の形状で、取付縫糸１０７の線状方向における頭部２０１の最大の長さは、本体部１０２のくびれ部２０２に接する部分の長さより短い。またくびれ部２０２は、縫い込みタグ側に切れ込みを有するカーブ状のくびれ形状２０３を有する。【選択図】図１Ｂ
0003233896.tif 000002
【実用新案登録請求の範囲】
【請求項１】
本体部と頭部と前記本体部と前記頭部の間に位置するくびれ部を有すること、
を特徴とする縫い込みタグ。
【請求項２】
前記頭部は横長の形状で、取付縫糸の線状方向における前記頭部の最大の長さは、前記本体部の前記くびれ部に接する部分の長さより短いことを特徴とする、請求項１に記載の縫い込みタグ。
【請求項３】
前記くびれ部が、前記縫い込みタグ側に切れ込みを有するくびれ形状を有する、請求項１または２に記載の縫い込みタグ。
【請求項４】
前記切れ込みがカーブ状であることを特徴とする、請求項３に記載の縫い込みタグ。
【請求項５】
前記切れ込みが三角形状であることを特徴とする、請求項３に記載の縫い込みタグ。
【請求項６】
前記切れ込みが矩形状であることを特徴とする、請求項３に記載の縫い込みタグ。
【請求項７】
前記頭部の左上部又は右上部に凸部を有する、請求項１〜６に記載の縫い込みタグ。
【請求項８】
前記くびれ部の色彩が、前記本体部または前記頭部と異なることを特徴とする、請求項１〜７に記載の縫い込みタグ。
【請求項９】
前記くびれ部に形成された色彩の形状が、左右の方向性を認識させる形状であることを特徴とする、請求項８に記載の縫い込みタグ。
【考案の詳細な説明】
【技術分野】
【０００１】
本考案は、縫い込みタグに関する。
【背景技術】
【０００２】
ストッキングなどのインナーウェアやその他の衣類を店頭販売するにあたっては、商品名、ロゴ、製造会社名、サイズ、生地などの情報を記載した略四角形に代表される形状ののタグを衣類そのもの、または包装袋に縫い込んで取り付けて販売するのが一般的である。
【０００３】
消費者は店頭で商品を購入するにあたり、前記タグに記載されている情報を参考にするが、持ち帰って着用する際には衣類または包装袋に取り付けてあるタグは取り外すことが想定されている。
【０００４】
商品に縫い込んだタグを取り外す方法としては、ハサミを糸の縫い目に入れて糸を切って外す方法、タグをちぎって外す方法、などがある。また例えば特許文献１には、衣類に製品情報などを記載したラベルを縫糸で取り付ける際に、抜取用糸を縫い終わり位置または縫い始め位置から所定の長さ延在させ、ラベルを取り外す際に前記抜取糸を引っ張て抜き取ることで前記ラベルを衣類より取り外す構成が開示されている。
【先行技術文献】
【特許文献】
【０００５】
【特許文献１】特許第４５８０３２９号
【考案の概要】
【考案が解決しようとする課題】
【０００６】
特許文献１では、抜取糸を摘まんで引っ張る際に、比較的小さい引張力で上糸と下糸の交絡を解きながら抜き取れるように、糸張力が小さくなる縫い方を採用するなど、ラベル取り付けのための特別な縫い方が開示されている。しかし、タグを付着するために特別な縫い方を導入することは製造コストの増加を招くこととなる。
【０００７】
また、他の方法としてハサミを用いて縫い糸を切り取る場合には、誤って衣類に損傷を与える可能性があったり、何カ所かの縫い目にハサミを入れなければならないといった不便さを感ずることがある。またタグをちぎる場合でも、タグのどこからちぎっていいか分からず、力が入らなかったり、逆に力が入りすぎて衣類にも損傷を与えてしまう可能性がある。
【０００８】
そこで、本考案では、工場での既存の縫製仕様を変更せずに、タグの形状や糸を縫い込む場所を工夫することで、できる限り低コストで、しかもだれでも簡単にかつスムーズに取り外すことのできる縫い込みタグを提供することを目的とする。
【課題を解決するための手段】
【０００９】
上記の課題を解決するために、代表的な本考案の縫い込みタグの一つは、本体部と頭部とくびれ部を有し、前記くびれ部は、前記本体部と前記頭部の間に位置することを特徴とするものである。
【考案の効果】
【００１０】
本考案によれば、工場での既存の縫製仕様を変更せずに、タグの形状や糸を縫い込む場所を工夫することで、できる限り低コストで、しかもだれでも簡単にかつスムーズにタグを取り外すことができる。
上記した以外の課題、構成および効果は、以下の実施をするための形態における説明により明らかにされる。
【図面の簡単な説明】
【００１１】
【図１Ａ】図１Ａは、タグ１００が取付縫糸１０７で衣類１０１に縫い込まれている平面図である。
【図１Ｂ】図１Ｂは、取付縫糸１０７付近のタグ１００の拡大図である。
【図２】図２は、縫い込みタグを指で取り外している動作を表す図である。
【図３】図３は、本考案の実施形態の変形例にかかる縫い込みタグの拡大図である。
【図４】図４は、従来例の縫い込みタグの平面図である。
【考案を実施するための形態】
【００１２】
以下、図面を参照して、本考案の実施形態について説明する。なお、この実施形態により本考案が限定されるものではない。また、図面の記載において、同一部分には同一の符号を付して示している。
【００１３】
本開示において、方向を示すために、図面上に表記されたＸ軸、Ｙ軸に示す方向を用いることがある。ＸＹ平面における図形を平面図ということがある。
本開示においては、取付縫糸の線状に伸びる方向をＸ方向とし、タグを視認する側からみてＸ方向の正の向きを右といい、負の向きを左という。またＹ方向の正の向きを上といい、負の向きを下という。
本開示において、「縫い込みタグ」を単に「タグ」ということがある。「衣類」とは衣類そのものに加え、衣類を入れる包装袋も含む。また、タグの全体形状は略四角形が代表的な形状であるが、必ずも四角形に限定されるものではなく、他の多角形、略円形、略楕円形であってもよい。
また、本開示において、「本体部」とはタグの一端に接して、タグの過半の面積を占める部分である。また、「頭部」とは、タグの一端に接して、本体部よりも小面積を占める部分である。また、「くびれ部」とは、「本体部」と「頭部」の間にあり、「本体部」及び「頭部」よりも幅の狭い部分を意味する。
【００１４】
[従来例]
図４は、従来例の縫い込みタグの平面図である。タグ１１０は略四角形状であり、ＸＹ平面内のＸ方向に線状に伸びる取付縫糸１０７で衣類１０１に縫い込まれ取り付けられている。通常、取付縫糸１０７で衣類１０１に縫い込まれる位置は、四角形状のタグの一方の端部に近い位置であり、四角形状の短い辺に沿って縫い込み位置が設けられている。このため、タグ１１０は取付縫糸１０７を境界として本体部１０２と余白部１０６に分かれることとなる。
【００１５】
取付縫糸１０７の、タグ１１０表面からみて左側の端に左糸端点１０８があり、右側の端に右糸端点１０９がある。糸の縫い付けは左糸端点１０８から始めても、右糸端点１０９から始めてもいずれでもいい。
【００１６】
またタグ１１０の、取付縫糸１０７が通る線上の、タグ１１０表面からみて左側の端に左タグ端点１０４があり、右側の端に右タグ端点１０５がある。
【００１７】
タグの過半の面積を占める本体部１０２には、製品に関する情報や製造会社名、ロゴ、その他宣伝のための文言などの情報が記載される。情報の体裁は任意であり、情報自体はあってもなくても本考案の要旨に影響はない。
【００１８】
余白部１０６は、取付縫糸１０７でタグ１００を逢着した後の余白である。本体部１０２にはできる限り多くの情報を書き込もうとすることから、タグ１１０の大半を本体部１０２が占め、余白部１０６は狭く設計される傾向がある。
【００１９】
衣類１０１を購入した消費者がタグ１１０を衣類１０１から取り外す際に、従来例では取り外し方が一目で分からず、ハサミで切ったり、タグをちぎったりする場合が多いが、ちぎって外す場合もどこからちぎっていいか分からず、余白部１０６を摘まんで引っ張る場合、狭くて摘まみにくい、または力が入りにくいといった問題がある。また本体部１０２を摘まんで引っ張るにしても、余白部１０６では指で押さえるスペースが足りなかったり、押さえずに引っ張ると糸ごと衣類に損傷を与える可能性がある。
【００２０】
[実施形態]
図１Ａは、タグ１００が取付縫糸１０７で衣類１０１に縫い込まれている平面図である。図１Ｂは、取付縫糸１０７付近のタグ１００の拡大図である。以下の説明において、上述の従来例と同一または同等の構成要素については同一の符号を付し、その説明を簡略または省略する。
【００２１】
本実施形態において、タグ１００の本体部１０２以外の構成が図４の従来例と異なる。すなわち、本体部１０２の上側には、取付縫糸１０７を略中心として上下一定の幅を領域として有するくびれ部２０２が連続的につながっており、さらにその上に頭部２０１が連続的につながっている構成をとる。
【００２２】
くびれ部２０２は、タグ１００の内側に入り込んだ形状で形成され、左タグ端点１０４および右タグ端点１０５が最大の切込み箇所となるカーブ状のくびれ形状２０３を左右に有している。このため本体部１０２の上部左右の角が人間の肩のように突き出し、その上にくびれ部２０２が人間の首のようにつながっている形状となる。ただしくびれ形状２０３は左右のいずれか一方だけに形成されてもよい。なお、くびれ形状２０３の切れ込みが最大になる箇所が、左タグ端点１０４または右タグ端点と必ずしも一致している必要はない。
【００２３】
くびれ形状２０３はカーブ状に限定されず、三角形のように鋭角の切れ込みや、矩形の切れ込みなど、くびれ部の左または右から力がかかった際に応力が集中しやすい箇所がある形状であることが望ましく、任意の形状をとることができる。
【００２４】
くびれ部２０２の上には頭部２０１が連続的につながっている。頭部２０１の形状は、Ｘ方向の長さがＹ方向より長い横長の形状が好ましく、少なくとも指の腹で摘まめる形状であれば、長方形、楕円形、ハート形など任意の形状をとることができる。ただし左右対称である必要はない。
【００２５】
頭部２０１の大きさは本体部１０２よりも小さく、かつ少なくとも指の腹で摘まめる程度の大きさに形成される。Ｘ方向における頭部２０１の最大の長さは、本体部１０２のくびれ部２０２に接する部分の長さより短いことが好ましいが、同等もしくは長くても差し支えない。
【００２６】
タグ１００の寸法は、衣類１０１の大きさや、本体部１０２に記載する情報量などに依存し任意の寸法で形成してよい。一例として、横長の長方形状の頭部２０１のＸ方向の長さが２〜７ｃｍ、Ｙ方向の長さが０．５〜２ｃｍ、くびれ部２０３のＸ方向の長さが２〜６．５ｃｍ、Ｙ方向の長さが０．８〜１．５ｃｍ、本体部１０２のくびれ部と接する部分のＸ方向の長さが４〜１０ｃｍの寸法で２３０ｇ〜２５０ｇの範囲の値をとるタグ１００をいくつか試作した。
【００２７】
くびれ部２０２の色彩を、本体部１０２または頭部２０１と異ならせることが好ましい。さらに、例えば矢印形状のように左から右または右から左の方向性を認識させる色彩形状をくびれ部２０２に形成することもできる。
【００２８】
また、頭部２０１に、タグ１００の取り外し方を文字または記号などで記載しておくこともできる。
【００２９】
＜作用・効果＞
本実施形態では、例えば頭部２０１の左側を指の腹で摘まんで引っ張ると、くびれ部が設けられていることによって、左タグ端点１０４付近から破断が始まり、ほぼ線状に伸びる取付縫糸１０７の方向に沿って、頭部２０１をくびれ部２０２の一部とともにちぎって取り外すことができる。
【００３０】
つまり、破断する際、くびれ形状２０３と取付縫糸１０７の交わる左タグ端点１０４に応力が集中するので、くびれがない従来例の構成に比べ、より簡単に破断することが可能となる。
【００３１】
また従来例では、余白部１０６は指で摘まむことはそもそも想定されていないことから、摘まみづらく、引っ張る際にも力がかかりにくい寸法形状であった。しかし、本実施形態では容易にタグの頭部を指の腹で摘むことができる大きさとしたことにより、タグを取り外すための力が入りやすく、手の力の弱い女性であっても容易にタグを取り外すことができる。
【００３２】
図２は、タグを指で取り外している動作を表す図である。具体的には本体部１０２を押さえ頭部２０１を指の腹で摘まんで取り外す様子を表している。頭部２０１を押さえ本体部１０２を摘まんで取り外しても構わない。
【００３３】
工場でタグ１００を衣類１０１にミシンで縫い付ける際に、くびれ部２０２のＹ方向中央をＸ向に沿って縫えばいいので作業者にとっても事前に縫い筋を容易に認識でき、作業の効率向上の効果がある。特にくびれ部２０２の色彩を本体部１０２または頭部２０１と異ならせることで、色彩によってもくびれ部を確認でき一層容易に縫い付けることが可能になる。ただし、くびれ部２０２の範囲内に取付縫糸１０７が入っていれば、中心線から多少ずれていても、取り外し易さの点で違いはないので、品質の管理負担も軽減される。
【００３４】
さらに、くびれ部２０２に色彩を形成する際に、矢印形状のように左から右または右から左の方向性を認識させる色彩形状を付加することで、タグ１００を引きちぎる方向をガイドすることができ、消費者にとって一層容易な取り外しが可能となる。
【００３５】
頭部２０１に、タグ１００の取り外し方を文字または記号などで記載することで、消費者はタグ１００の取り外し方を容易に認識することができる。例えば指で摘まむ場所に矢印を付すだけでも効果がある。さらに「ミシン目に折り目をつけて切り取る」といったより具体的な注記をしておけば、より一層スムーズで効果的な取り外しが可能となる。
【００３６】
＜変形例＞
本変形例においては、頭部２０１の左上部に凸部２０４を設けている点、またくびれ部２０２の右側のくびれ形状２０３が形成されないまま本体部１０２とくびれ部２０２がつながっている点で実施形態と異なる。
図３は、本考案の実施形態の変形例にかかる縫い込みタグの拡大図である。以下の説明において、上述の従来例または実施形態と同一または同等の構成要素については同一の符号を付し、その説明を簡略または省略する。
【００３７】
＜作用・効果＞
本変形例では、凸部２０４を有するので、消費者は頭部２０１の凸部２０４のある左側を摘まみ、右側方向に引っ張ってタグ１００を取り外せばいいことがより鮮明に認識でき、スムーズな取り外しを促す効果がある。
【００３８】
くびれ形状２０３を左側のみに形成することで、適切な引っ張る方向をより確実に認識できる。ただし右側にくびれ形状２０３を形成することを排除するものではない。指で摘まんで引っ張る方向を視認しやすくする形状であれば、本変形例とは逆に、右上部のみに凸部を設け、くびれ形状を右側のみに形成すること、または左右の上部に凸部を設け、くびれ形状も左右に形成することもできる。
【００３９】
＜材質＞
タグ１００は好ましくは紙類で形成される。紙質は光沢紙や和紙など美観や破れやすさなどのニーズに応じ任意の材質を採用可能である。指の力で破断可能な材質であればプラスチックその他任意の材質で形成可能である。
【００４０】
衣類１０１は任意の材質を使用可能である。破れやすい材質であってもプラスチックなどの包装袋にいれて、その上にタグ１００を設けることが可能である。
【００４１】
＜縫い込みルール＞
タグの縫い込みルールは工場の既存のルールを流用すればよく特に限定はないが、好ましい例としては、本縫い、運針数として４針〜１６針／インチ、糸素材として綿やポリエステルスパン系やナイロンのフィラメント糸での本縫いがある。
【００４２】
以上、本考案の実施の形態について説明したが、本考案は、上述した実施の形態に限定されるものではなく、本考案の要旨を逸脱しない範囲において種々の変更が可能である。
【符号の説明】
【００４３】
１００  タグ
１０１  衣類
１０２  本体部
１０４  左タグ端点
１０５  右タグ端点
１０６  余白部
１０７  取付縫糸
１０８  左糸端点
１０９  右糸端点
１１０  タグ
２０１  頭部
２０２  くびれ部
２０３  くびれ形状
２０４  凸部
【図１Ａ】
0003233896.tif 000003
【図１Ｂ】
0003233896.tif 000004
【図２】
0003233896.tif 000005
【図３】
0003233896.tif 000006
【図４】
0003233896.tif 000007